(57)【要約】【課題】複数のケーブルを容易に整列させた状態に束ねて一体化させることが可能なケーブルクランパを提供する。【解決手段】複数のケーブル２を整列してクランプするケーブルクランパ１であって、複数のケーブル２が配列される固定部３と、前記固定部３に配列された前記複数のケーブル２を一体的にクランプするチューブ４と、を備え、前記固定部３は、前記複数のケーブル２が整列状態に配列されるベース板部１１と、前記ベース板部１１の側部のうち、整列状態にある前記複数のケーブル２の延在方向を向く両側部から更に当該延在方向に沿って延在し前記チューブ４によって前記複数のケーブル２とともに結束される保持部１６と、を有する。【選択図】図２
2009291012.tif 000002
【特許請求の範囲】
【請求項１】
複数のケーブルを整列してクランプするケーブルクランパであって、
複数のケーブルが配列される固定部と、前記固定部に配列された前記複数のケーブルを一体的にクランプするチューブと、を備え、
前記固定部は、前記複数のケーブルが整列状態に配列されるベース板部と、前記ベース板部の側部のうち、整列状態にある前記複数のケーブルの延在方向を向く両側部から更に当該延在方向に沿って延在し前記チューブによって前記複数のケーブルとともに結束される保持部と、を有するケーブルクランパ。
【請求項２】
前記ベース板部には、互いに間隔をあけて立設された複数の区画壁が形成され、これら区画壁の間が、前記ケーブルが整列状態に配設される整列スペースとされている請求項１に記載のケーブルクランパ。
【請求項３】
前記保持部は、前記チューブの前記延在方向の移動を規制する突起を有する請求項１または請求項２に記載のケーブルクランパ。
【請求項４】
前記固定部は、樹脂によって一体成形されている請求項１から３のいずれか１項に記載のケーブルクランパ。
【請求項５】
前記チューブは、熱収縮性の樹脂から形成されている請求項１から４のいずれか１項に記載のケーブルクランパ。
【発明の詳細な説明】
【技術分野】
【０００１】
本発明は、複数のケーブルを束ねてクランプするケーブルクランパに関する。
【背景技術】
【０００２】
燃料ガスと酸化ガスとの電気化学反応によって発電する燃料電池は、通常燃料ガスと酸化ガスとの電気化学反応によって発電するセルを所要数積層したセル積層体を含む燃料電池スタックを備えている。この燃料電池スタックには、セルの電圧を検出する複数のセルモニタが積層方向に配列されており、これらセルモニタから引き出されたケーブルは、セルの配設方向に沿って設けられた保持具のスリットに１本ずつ保持されている（例えば、特許文献１参照）。
【０００３】
なお、複数のケーブルを束ねる技術としては、例えば、面方向に配列させたケーブルをグランドバーによって固定したり（例えば、特許文献２参照）、樹脂によって一体化させるものがあり（例えば、特許文献３参照）、さらには、複数本のケーブルを容器内に収容し、その内部にシリコンゴムなどの樹脂を注入して一体化させるものがある（例えば、特許文献４参照）。
【特許文献１】特開２００３−２２３９２３号公報
【特許文献２】特開平１１−２９７１３３号公報
【特許文献３】特開平９−１１５３４１号公報
【特許文献４】特開平１１−１１５４４２号公報
【発明の開示】
【発明が解決しようとする課題】
【０００４】
ところで、ケーブルを単にグランドバーによって固定するだけでは、ケーブルがばらけ易いという問題があり、また、ケーブルを樹脂によって一体化させる技術は、その樹脂による一体化の作業が繁雑であり、いずれもケーブルを容易に整列させることができず、作業に手間を要していた。
【０００５】
また、複数のケーブルを一体化したフラットケーブルを用いることも考えられるが、特に、燃料電池スタックのセルモニタのケーブルとして用いた場合は、耐熱性及び環境負荷の観点から制限を受けてしまう。
【０００６】
本発明は、上記事情に鑑みてなされたもので、複数のケーブルを容易に整列させた状態に束ねて一体化させることが可能なケーブルクランパを提供することを目的としている。
【課題を解決するための手段】
【０００７】
上記目的を達成するために、本発明のケーブルクランパは、複数のケーブルを整列してクランプするケーブルクランパであって、複数のケーブルが配列される固定部と、前記固定部に配列された前記複数のケーブルを一体的にクランプするチューブと、を備え、前記固定部は、前記複数のケーブルが整列状態に配列されるベース板部と、前記ベース板部の側部のうち、整列状態にある前記複数のケーブルの延在方向を向く両側部から更に当該延在方向に沿って延在し前記チューブによって前記複数のケーブルとともに結束される保持部と、を有する。
【０００８】
この構成によれば、ベース板部に配列させた複数のケーブルとともに保持部をチューブによって結束することにより、手間をかけずに容易に複数のケーブルを面方向に整列させて束ねて一体化させることができる。
【０００９】
また、前記ベース板部には、互いに間隔をあけて立設された複数の区画壁が形成され、これら区画壁の間が、前記ケーブルが整列状態に配設される整列スペースとされていても良い。この構成によれば、各区画壁間の整列スペースにケーブルを配設することにより、複数のケーブルを容易に位置決めして整列させることができる。
【００１０】
また、前記保持部は、前記チューブの前記延在方向の移動を規制する突起を有していても良い。この構成によれば、ケーブルとともに保持部を結束したチューブの当該保持部からの離脱を抑制することができる。
【００１１】
また、前記固定部は、樹脂によって一体成形されていても良い。この構成によれば、固定部を樹脂によって容易に一体成形して得ることができる。
【００１２】
また、前記チューブは、熱収縮性の樹脂から形成されていても良い。この構成によれば、保持部に装着してチューブを熱収縮させることにより、容易にケーブルとともに保持部を結束することができる。
【発明の効果】
【００１３】
本発明のケーブルクランパによれば、複数のケーブルを容易に整列させた状態に束ねて一体化させることができる。
【発明を実施するための最良の形態】
【００１４】
以下、本発明に係るケーブルクランパの一実施の形態について図面を参照して説明する。
【００１５】
図１，２において、符号１は、ケーブル２をクランプするケーブルクランパである。このケーブルクランパ１によってクランプするケーブル２は、例えば、燃料電池のスタックを構成するセルの電圧を検出する複数のセルモニタから引き出されたものである。なお、この燃料電池は、船舶，航空機，電車、歩行ロボット等のあらゆる移動体に用いられる発電システムあるいは建物（住宅、ビル等）用の発電設備として用いられる定置用発電システムに適用可能である。
【００１６】
ケーブルクランパ１は、固定板（固定部）３と、チューブ４と、を備えて構成されている。固定板３は、樹脂からなる一体成形品であり、平面視長方形状のベース板部１１を有している。このベース板部１１には、その両端近傍に、所定の場所にボルト止めするためにボルトが挿通される固定用穴１２がそれぞれ形成されている。このベース板部１１は、その長手方向（本実施形態では、平面視でケーブル２の延在方向と直交する方向）の中間部が、ケーブル保持部１３とされている。
【００１７】
このケーブル保持部１３は、ベース板部１１の上面側に短手方向（本実施形態では、ケーブル２の延在方向）に沿って延在するように形成された複数の区画壁１４を有しており、これら区画壁１４が、互いに間隔をあけて配置されている。そして、このケーブル保持部１３では、区画壁１４によって区画された箇所が、複数のケーブル２が所定本数ずつ整列配置可能な整列スペース１５とされている。
【００１８】
ケーブル保持部１３には、ベース板部１１の両側部に、整列スペース１５に保持させたケーブル２に沿う方向へ延在する保持板部（保持部）１６を有しており、これら保持板部１６には、その両端に、チューブ４を係止する係止突起１７が形成されている。そして、この保持板部１６に、チューブ４が巻回され、このチューブ４によって、整列スペース１５に整列配置された複数のケーブル２が保持板部１６に緊結されて固定されている。
【００１９】
チューブ４は、熱収縮性樹脂を環状に形成したもので、保持板部１６をケーブル２とともに巻回した状態にて熱が加えられて収縮することにより、複数のケーブル２を保持板部１６に締め付けて固定する。なお、この保持板部１６に巻回したチューブ４は、保持板部１６の係止突起１７によって、ケーブル２の延在方向に沿う移動が規制されるように係止され、これにより、当該保持板部１６からの離脱が抑制されている。
【００２０】
上記ケーブルクランパ１を用いてケーブル２を束ねる場合は、まず、固定板３の区画壁１４によって区画された整列スペース１５に、ケーブル２を所定本数ずつベース板部１１上に整列させて配置させる。この状態にて、チューブ４を保持板部１６に巻回させ、このチューブ４に熱を加えて収縮させる。このようにすると、複数のケーブル２がチューブ４によって保持板部１６に締め付けられて整列状態に固定される。
【００２１】
このように、上記実施形態に係るケーブルクランパ１によれば、ベース板部１１に配列した複数のケーブル２とともに保持板部１６をチューブ４によって結束することにより、手間をかけずに容易に複数のケーブル２を面方向に整列させて束ねて一体化させることができる。
【００２２】
これにより、特に、燃料電池スタックのセルモニタから引き出された複数（あるいは多数）のケーブル２を、その並び順を乱すことなく整列させた状態に束ね、挟ピッチに対応させつつ高い固定強度にて固定することができ、例えば、燃料電池スタックの車両への組み付け性を向上させることができる。
【００２３】
また、フラットケーブルのように、耐熱性及び環境負荷の観点から使用環境の制限を受けるような不具合もなく、燃料電池スタックに良好に適用させることができる。
【００２４】
また、ベース板部１１に、互いに間隔をあけて立設された複数の区画壁１４が形成され、これら区画壁１４の間が、ケーブル２が配設される整列スペース１５とされているので、各区画壁１４間の整列スペース１５にケーブル２を配設することにより、複数のケーブル２を容易に位置決めして整列させることができる。
【００２５】
また、保持板部１６の両端に、チューブ４を係止する係止突起１７が形成されているので、ケーブル２とともに保持板部１６を結束したチューブ４の当該保持板部１６からの離脱を抑制することができる。
【００２６】
また、固定板３は、樹脂によって容易に一体成形して得ることができ、また、チューブ４は、熱収縮性の樹脂から形成されているので、保持板部１６に装着してチューブ４を熱収縮させることにより、容易にケーブル２とともに保持板部１６を結束することができる。
【図面の簡単な説明】
【００２７】
【図１】本発明の一実施形態に係るケーブルクランパを示す斜視図である。
【図２】図１に示すケーブルクランパの使用状態を示す斜視図である。
【符号の説明】
【００２８】
２…ケーブル、３…固定板（固定部）、４…チューブ、１１…ベース板部、１４…区画壁、１５…整列スペース、１６…保持板部（保持部）、１７…係止突起。
【図１】
2009291012.tif 000003
【図２】
2009291012.tif 000004